(57)【要約】【課題】  従来の技術は、槌先の印打部にある槌先バネや発射位置ストッパーのストッパーゴムは繰り返し与えられる衝撃による疲労で寿命があり、消耗品としての交換が必要であった。さらにこれらの部材は、遊技台の角の方で手の入り難く交換作業のし難い位置に配置されていて作業性が悪く交換作業が大変であった。また、これらの部材の寿命も極端な差のある設計でもなく、片方の交換後時間的に大差なく、又異なる片方の交換を再度行わなければならないこともしばしばあった。【解決手段】  発射槌１により遊技球を印打発射する遊技機において、発射槌１と発射位置ストッパー２の衝撃緩衝部材７を発射槌１に組み付けることで、前記発射槌１と衝撃緩衝部材７とを一体化させた遊技球発射装置を利用することで解決する。【選択図】図１
2005052320.tif 000002
【特許請求の範囲】
【請求項１】
発射槌により遊技球を印打発射する遊技機において、発射槌と発射位置ストッパーの衝撃緩衝部材を発射槌に組み付けることで、前記発射槌と衝撃緩衝部材とを一体化させたことを特徴とする遊技球発射装置。
【発明の詳細な説明】
【技術分野】
【０００１】
本発明は、球遊技機器の遊技球発射装置に関するものである。
【背景技術】
【０００２】
従来のパチンコ機等における遊技球発射装置においては、図１０に示すように発射位置における発射槌と発射位置ストッパーの関係からも理解できるように、取付ベース２１に発射槌２２と発射位置ストッパー２３が取り付けられている。また、槌先の遊技球印打部に弾性部材２４（バネやプラスチック等の弾性部材からなり、以下槌先バネという）を設け、発射槌２２の遊技球印打発射位置近傍に衝撃緩衝部材２５（以下ストッパーゴムという）を持つ発射位置ストッパー２３がストッパー固定ネジ２６でストッパー固定用長孔２７を介して固定され構成されている。また、図１１に示すように槌先の遊技球印打部に槌先バネ２４を持ち、発射槌２２の遊技球印打発射位置近傍にストッパーゴム２５を持つ発射位置ストッパー２３が、ストッパー固定ネジ２６でストッパー固定用長孔２７を介して固定されている。さらに、遊技球印打発射位置の反対すなわち発射槌２２の印打動作方向への動作のスタート位置に第２ストッパーゴム２８を持つ槌ストッパーにより構成された遊技球発射装置は存在している。
【発明の開示】
【発明が解決しようとする課題】
【０００３】
本発明に係る遊技球発射装置は、発射槌により遊技球を印打発射する遊技機において、発射槌と発射位置ストッパーのストッパーゴムを発射槌に組み付けることで、前記発射槌とストッパーゴムとを一体化させた遊技球発射装置で、次の課題を解決することが目的である。
従来の技術は、槌先の印打部にある槌先バネ２４や発射位置ストッパー２３のストッパーゴム２５は繰り返し与えられる衝撃による疲労で寿命があり、消耗品としての交換が必要であった。さらにこれらの部材は、遊技台の角の方で手の入り難く交換作業のし難い位置に配置されていて作業性が悪く交換作業が大変であった。また、これらの部材の寿命も極端な差のある設計でもなく、片方の交換後時間的に大差なく、又異なる片方の交換を再度行わなければならないこともしばしばあった。
【課題を解決するための手段】
【０００４】
上記課題を解決するための本発明の第１発明は、請求項１に記載された通りの遊技球発射装置であり、次のようなものである。
発射槌により遊技球を印打発射する遊技機において、発射槌と発射位置ストッパーの衝撃緩衝部材を発射槌に組み付けることで、前記発射槌と衝撃緩衝部材とを一体化させた構成である。
【発明の効果】
【０００５】
本発明に係る遊技球発射装置は、上記説明のような構成であるので、以下に記載する効果を奏する。
（１）消耗品の交換において、現場で行う作業が発射槌のみの交換で良いため作業性が飛躍的に向上する。
（２）現場での作業において、取り替え交換作業が単作業で行えるため、ネジの締め忘れなどによるトラブルがなくなる。
（３）発射ユニットの槌及びストッパーゴムにおける寿命消耗品が槌に集約されているため、再利用などのリサイクル、リユースにおいて、交換、チェックなどが確実に行われる環境を作り易くなる。
（４）槌先バネとストッパーゴムの交換で槌が新品同様の性能になり再利用が可能となる。
【発明を実施するための最良の形態】
【０００６】
発射槌により遊技球を印打発射する遊技機において、発射槌と発射位置ストッパーのゴム等の弾性部材からなる衝撃緩衝部材を発射槌に組み付け、前記発射槌と衝撃緩衝部材とを一体化させた遊技球発射装置である。
【実施例１】
【０００７】
図１、図２は、本発明に係る第一実施例を示すもので、図１は、発射位置の発射槌１と発射位置ストッパー２との関係を示す平面図である。図２は、発射槌１を単独で示す平面図である。
図１に示すように発射位置の発射槌１と発射位置ストッパー２の関係からも理解できるように、取付ベース３に発射槌１と発射位置ストッパー２が取り付けられている。槌先の遊技球印打部に弾性部材４（バネやプラスチック等の弾性部材で、以下槌先バネという）を設け、発射槌１の遊技球印打発射位置近傍に発射位置ストッパー２が、ストッパー固定ネジ５で、ストッパー固定用長孔６を介して固定された遊技球発射装置である。
そして、図２により詳細に示した発射槌１が取付ベース３に設けられている。
【０００８】
ここで、図１、図２に基づいて発射槌１を詳細に説明すると、発射位置ストッパー２に係合係止するようにストッパーゴム７を一体的に収納できるストッパーゴムホルダー８を発射槌１の適宜場所にホルダー用固定ネジ９でホルダー固定用長孔１０を介して固定するものである。
【実施例２】
【０００９】
図３、図４は本発明に係る第二実施例を示すもので、図３は、発射位置の発射槌１と一方の第１発射位置ストッパー２Ａと他方の第２発射位置ストッパー２Ｂとの関係を示す平面図である。図４は、発射槌１を単独で示す平面図である。
図３に示すものからも理解できるように、取付ベース３に発射槌１と一方の第１発射位置ストッパー２Ａと他方の第２発射位置ストッパー２Ｂが取り付けられている。槌先の遊技球印打部に弾性部材（槌先バネ）４を設け、発射槌１の遊技球印打発射装置位置近傍に一方の第１発射位置ストッパー２Ａが、槌先と反対側に他方の第２発射位置ストッパー２Ｂがストッパー固定ネジ５で、ストッパー固定用長孔６を介して固定された遊技球発射装置である。
そして、図４で詳細に示した発射槌１が取付ベース３に設けられている。
【００１０】
ここで、図３、図４に基づいて第二実施例の発射槌１を詳細に説明すると、一方の第１発射位置ストッパー２Ａ、他方の第２発射位置ストッパー２Ｂにそれぞれ係合係止するように一方の第１ストッパーゴム７Ａ及び他方の第２ストッパーゴム７Ｂを一体的に収納できる第１ストッパーゴムホルダー８Ａ、第２ストッパーゴムホルダー８Ｂを発射槌１の適宜場所に例えば、第１ホルダー固定ネジ９Ａで第１ホルダー固定用長孔１０Ａを介して固定するものである。
【実施例３】
【００１１】
図５、図６は、本発明に係る第三実施例を示すもので、図５は、発射位置の発射槌１と発射位置ストッパー２との関係を示す平面図である。図６は、発射槌１を単独で示す平面図である。
これは図１、図２に示した第一実施例とは、発射槌１の形状と発射位置ストッパー２とストッパーゴム７の取付位置が相違するのみで、その他の構成は同一なので詳細な説明は省略する。
【実施例４】
【００１２】
図７、図８は、本発明に係る第四実施例を示すもので、図７は、発射位置の発射槌１と一方の第１発射位置ストッパー２Ａと、他方の第２発射位置ストッパー２Ｂとの関係を示す平面図である。図８は、発射槌１を単独で示す平面図である。
これは、図３、図４に示した第二実施例とは、発射槌１の形状と第１発射位置ストッパー２Ａ、第２発射位置ストッパー２Ｂと、第１ストッパーゴム７Ａ、第２ストッパーゴム７Ｂの取付位置が相違するのみで、その他の構成は同一なので詳細な説明は省略する。
【実施例５】
【００１３】
図９は本発明に係る第五実施例を示すもので、図８で示した前記第四実施例の変形例で、第１ストッパーゴム７Ａ、第２ストッパーゴム７Ｂの取付位置が相違するのみで、その他の構成は同一なので詳細な説明は省略する。
【００１４】
以上、第一から第五実施例について説明したが、ストッパーの形状、ストッパーゴムの形状、ストッパーゴムホルダーの形状は、一例であって種々設計変更できるものであり、また、発射槌とストッパーホルダーとの取り付け手段も実施例では、一例を示したが種々設計変更できる。なお、ストッパーゴムホルダーと発射槌が一体となったものも設計可能であることはいうまでもない。
【産業上の利用可能性】
【００１５】
パチンコ機等の遊技球発射装置の寿命を左右する消耗品を発射槌に集約させることで課題を解決するものである。
【図面の簡単な説明】
【００１６】
【図１】本発明の第一実施例に係る遊技球発射装置を示す平面図である。
【図２】前記第一実施例に係る遊技球発射装置の発射槌を示す平面図である。
【図３】本発明の第二実施例に係る遊技球発射装置を示す平面図である。
【図４】前記第二実施例に係る遊技球発射装置の発射槌を示す平面図である。
【図５】本発明の第三実施例に係る遊技球発射装置を示す平面図である。
【図６】前記第三実施例に係る遊技球発射装置の発射槌を示す平面図である。
【図７】本発明の第四実施例に係る遊技球発射装置を示す平面図である。
【図８】前記第四実施例に係る遊技球発射装置の発射槌を示す平面図である。
【図９】本発明の第五実施例に係る遊技球発射装置の発射槌を示す平面図である。
【図１０】従来の一実施例に係る遊技球発射装置を示す平面図である。
【図１１】従来の他実施例に係る遊技球発射装置を示す平面図である。
【符号の説明】
【００１７】
１・・・・発射槌                          
２・・・・発射位置ストッパー
２Ａ・・・・第１発射位置ストッパー        
２Ｂ・・・・第２発射位置ストッパー
３・・・・取付ベース                    
４・・・・弾性部材（槌先バネ）
５・・・・ストッパー固定ネジ              
６・・・・ストッパー固定用長孔
７・・・・ストッパーゴム                
７Ａ・・・・第１ストッパーゴム
７Ｂ・・・・第２ストッパーゴム              
８・・・・ストッパーゴムホルダー
８Ａ・・・・第１ストッパーゴムホルダー    
８Ｂ・・・・第２ストッパーゴムホルダー
９・・・・ホルダー固定ネジ              
９Ａ・・・・第１ホルダー固定ネジ
９Ｂ・・・・第２ホルダー固定ネジ          
１０・・・・ホルダー固定用長孔
１０Ａ・・・・第１ホルダー固定用長孔      
１０Ｂ・・・・第２ホルダー固定用長孔
２１・・・・取付ベース                    
２２・・・・発射槌
２３・・・・発射位置ストッパー            
２４・・・・弾性部材（槌先バネ）
２５・・・・衝撃緩衝部材（ストッパーゴム）
２６・・・・ストッパー固定ネジ
２７・・・・ストッパー固定用長孔          
２８・・・・第２ストッパーゴム
【図１】
2005052320.tif 000003
【図２】
2005052320.tif 000004
【図３】
2005052320.tif 000005
【図４】
2005052320.tif 000006
【図５】
2005052320.tif 000007
【図６】
2005052320.tif 000008
【図７】
2005052320.tif 000009
【図８】
2005052320.tif 000010
【図９】
2005052320.tif 000011
【図１０】
2005052320.tif 000012
【図１１】
2005052320.tif 000013